(57)【特許請求の範囲】
【請求項１】
窓戸を移動させて窓を開閉する開閉駆動手段と、
窓を施錠するための施錠部材を駆動させる施錠駆動手段と、
前記開閉駆動手段及び施錠駆動手段を駆動制御する制御手段と、
前記開閉駆動手段又は施錠駆動手段のうち少なくとも何れか一方を遠隔操作する遠隔操作手段とを備え、遠隔操作手段の操作結果に基づき制御手段は開閉駆動手段及び施錠駆動手段を駆動制御する窓戸システムにおいて、
前記開閉駆動手段は、ドライブタイミングプーリが駆動軸を介して設けられている開閉駆動モータから構成され、
前記ドライブタイミングプーリには、窓戸の幅方向に沿って延びる直線上をなすタイミングベルトが噛合され、前記ドライブタイミングプーリの両側にはタイミングベルトをドライブタイミングプーリに押さえ付けるための一対の押圧ローラが設けられ、
前記開閉駆動モータは、ケーシング内に収容されており、該ケーシングの一側には、上下方向に沿って移動可能な可動部材を収容し、内奥面に傾斜面を有する案内溝が形成され、可動部材が傾斜面に沿って上方へ移動することにより、該可動部材の一部が案内溝内から徐々に突出するよう構成されている窓戸システム。
【請求項２】
前記遠隔操作手段は、無線によるものである請求項１に記載の窓戸制御システム。
【請求項３】
前記遠隔操作手段は、電話機からの電波信号又は赤外線信号のうち少なくとも何れか一方を制御手段に出力するものである請求項１又は請求項２に記載の窓戸制御システム。
【請求項４】
窓の施錠状態を検出する施錠状態検出手段と、
窓の開閉状態を検出する開閉状態検出手段とを備え、
前記制御手段は、施錠状態検出手段の検出結果又は開閉状態検出手段の検出結果のうち少なくとも何れか一方の検出結果に基づき、窓が正常に開閉又は施錠・開錠されたか否かを判定する判定手段を含むものである請求項１〜３のうち何れか一項に記載の窓戸制御システム。
【請求項５】
前記判定手段からの判定結果に基づき、その判定結果を報知する報知手段を備えた請求項４に記載の窓戸制御システム。
【請求項６】
前記ケーシングには、上下方向に延びる調節ねじが回動可能に支持され、調整ネジが回動操作されることにより可動部材が上下方向へ移動するよう構成されている請求項１〜５のうち何れか一項に記載の窓戸制御システム。
【発明の詳細な説明】
【０００１】
【発明の属する技術分野】
本発明は、遠隔操作によって、窓を開閉したり、施錠・開錠することの可能な窓戸制御システムに関する。
【０００２】
【従来の技術】
建物には、通常、人の出入りや室内の換気等のために窓等が設けられている。又、これらの窓には、該窓を開閉するための窓戸が設けられている。例えば、病院においては、病人自らがベットから起き、更に、窓まで歩いていくのは困難な場合がある。他の人に窓の開閉等を依頼することも考えられるが、病人のそばに常に他人がいるとは限らない。そのため、遠隔操作によって窓を開閉できるシステムが有用である。
【０００３】
【発明が解決しようとする課題】
しかし、従来の窓戸制御システムは、窓の施錠・開錠は遠隔操作によってはできなかった。そのため、施錠，開錠の際には、結局、人が窓にまで近寄って手動で操作せざるを得なかった。
【０００４】
本発明は、遠隔操作によって窓の開閉又は施錠・開錠を行うことのできる窓戸制御システムに関する。
【０００５】
【課題を解決するための手段】
請求項１に記載の発明は、窓戸を移動させて窓を開閉する開閉駆動手段と、窓を施錠するための施錠部材を駆動させる施錠駆動手段と、前記開閉駆動手段及び施錠駆動手段を駆動制御する制御手段と、前記開閉駆動手段又は施錠駆動手段のうち少なくとも何れか一方を遠隔操作する遠隔操作手段とを備え、遠隔操作手段の操作結果に基づき制御手段にて開閉駆動手段及び施錠駆動手段を駆動制御する窓戸システムにおいて、前記開閉駆動手段は、ドライブタイミングプーリが駆動軸を介して設けられている開閉駆動モータから構成され、前記ドライブタイミングプーリには、窓戸の幅方向に沿って延びる直線上をなすタイミングベルトが噛合され、前記ドライブタイミングプーリの両側にはタイミングベルトをドライブタイミングプーリに押さえ付けるための一対の押圧ローラが設けられ、前記開閉駆動モータは、ケーシング内に収容されており、該ケーシングの一側には、上下方向に沿って移動可能な可動部材を収容し、内奥面に傾斜面を有する案内溝が形成され、可動部材が傾斜面に沿って上方へ移動することにより、該可動部材の一部が案内溝内から徐々に突出するよう構成されていることを要旨とする。
【０００６】
請求項２に記載の発明は、請求項１に記載の窓戸制御システムにおいて、前記遠隔操作手段は、無線によるものであることを要旨とする。
請求項３に記載の発明は、請求項１又は請求項２に記載の窓戸制御システムにおいて、前記遠隔操作手段は、電話機からの電波信号又は赤外線信号のうち少なくとも何れか一方を制御手段に出力するものであることを要旨とする。
【０００７】
請求項４に記載の発明は、請求項１〜３のうち何れか一項に記載の窓戸制御システムにおいて、窓の施錠状態を検出する施錠状態検出手段と、窓の開閉状態を検出する開閉状態検出手段とを備え、前記制御手段は、施錠状態検出手段の検出結果又は開閉状態検出手段の検出結果のうち少なくとも何れか一方の検出結果に基づき、窓が正常に開閉又は施錠・開錠されたか否かを判定する判定手段を含むものである。
【０００８】
請求項５に記載の発明は、請求項４に記載の窓戸制御システムにおいて、前記判定手段からの判定結果に基づき、その判定結果を報知する報知手段を備えたことを要旨とする。
【００１０】
請求項６に記載の発明は、請求項１〜５のうち何れか一項に記載の窓戸制御システムにおいて、前記ケーシングには、上下方向に延びる調節ねじが回動可能に支持され、調整ネジが回動操作されることにより可動部材が上下方向へ移動するよう構成されていることを要旨とする。
【００１２】
【発明の実施の形態】
本発明の実施形態を図面を用いて説明する。
図１，図２に示すように、窓枠１には窓２がはめ込まれ、この窓２は一対の窓戸２ａ，２ｂから構成されている。各窓戸２ａ，２ｂは、ガラス３と、そのガラス３がはめ込まれた枠体４とを備えている。窓戸制御システムは、枠体４内に設けられた窓側制御装置Ａと、電話回線に接続された制御端末機Ｂとから構成されている。そして、窓戸制御システムは、窓２の開閉又は施錠・開錠を遠隔操作によって可能である。
【００１３】
縦枠４ａの上端部には温度検知手段としての温度センサ８と、ガス検知手段としてのガスセンサ９が設けられている。温度センサ８は室内の温度を検知するためのものである。ガスセンサ９は室内の一酸化炭素又は二酸化炭素の濃度を検知するためのものである。縦枠４ａ内の室外側下部側面には降雨検知手段としての降雨センサ１０が設けられている。降雨センサ１０は、室外における降雨状態を検知するためのものである。又、枠体４の両側には薄板状をなすタッチセンサ３７が設けられている。
【００１４】
縦枠４ａの室内側上部側面には受信手段としての赤外線受光器１１が設けられている。赤外線受光器１１は、図１に示すリモートコントローラ（以下リモコンという）９０からの赤外線信号を受信するためのものである。リモコン９０は各種の操作キーを備えている。又、縦枠４ａ内には受信手段としての電波送受信器２２が設けられている。電波送受信器２２は、制御端末機Ｂとの間で処理信号を送受信するためのものである。
【００１５】
縦枠４ａの室内側側面には、開き操作スイッチ１３、閉じ操作スイッチ１４及び停止操作スイッチ１５が設けられている。開き操作スイッチ１３は、操作者からの窓２の開く指示を受け付けるためのものである。閉じ操作スイッチ１４は、窓２を閉じる指示を受け付けるものである。停止操作スイッチ１５は、一方の窓戸２ａの移動停止の指示を受け付けるためのものである。縦枠４ａの室内側側面にはＬＥＤ１６及びブザー１７が設けられている。
【００１６】
ガラス３の上部領域には太陽電池１８が設置され、太陽電池１８は前記赤外線受光器１１及び電波送受信器２２に電力を供給する。太陽電池１８により発電された電力は、縦枠４ａ内に設けられた電池２０に充電されるようになっている（図５参照）。なお、太陽電池１８は、粘着剤等によってガラス３に貼り付けることで容易に設置できるようになっている。
【００１７】
図２，図３（ａ），（ｂ）に示すように、前記縦枠４ａの側面にはブラケット５９が設けられ、このブラケット５９にはクレセント軸６０を介してクレセント５が回動可能に支持されている。クレセント軸６０の一端にはフリクションカップリング６１を介してウォームホイール５８が設けられている。又、ブラケット５９には施錠駆動手段としてのクレセント駆動モータ６３が設けられ、そのモータ軸６３ａの先端にはウォームギア６２が設けられている。このウォームギア６２は前記ウォームホイール５８に噛合されている。そして、クレセント駆動モータ６３が駆動することにより、ウォームギア６２、ウォームホイール５８及びクレセント軸６０を介してクレセント５が正逆双方向へ回動する。
【００１８】
そして、クレセント５を所定方向に回動させることで、一方の窓戸２ａと対をなす他方の窓戸２ｂに設けられている係合爪（図示しない）に、同クレセント５の先端が係合し施錠される。即ち、クレセント５が正方向へ回動することにより窓２の施錠が行われ、クレセント５が逆方向へ回動することにより窓２の開錠が行わる。なお、フリクションカップリング６１を設けたのは、クレセント５を手動で操作する場合を考慮してのことである。クレセント５を手動で操作した場合には、ウォームギア６２が停止しているためフリクションカップリング６１に所定値以上の力が加わり、フリクションカップリング６１が空回りする。
【００１９】
図２に示すように、開閉駆動手段としての開閉駆動モータ７１は、縦枠４ａの上部に取り付けられたケーシング７３内に収容されている。その開閉駆動モータ７１には駆動軸７０ａを介してドライブタイミングプーリ７０が設けられ、このドライブタイミングプーリ７０には窓戸２ａの幅方向に沿って延びる直線上をなすタイミングベルト７８が噛合されている。ドライブタイミングプーリ７０の両側におけるケーシング上７３には軸７２ａを介して一対の押圧ローラ７２が設けられ、この押圧ローラ７２によりタイミングベルト７８がドライブタイミングプーリ７０に押さえ付けられる。そして、開閉駆動モータ７１が駆動されることにより、ドライブタイミングプーリ７０が回転すると、枠体４の移動に伴って一方の窓戸２ａが移動し、窓２が開閉されるようになっている。
【００２０】
なお、枠体４の上部には図示しないリードスイッチが設けられており、このリードスイッチは窓枠１に設けた図示しないマグネットに接近することによりオンする。そして、リードスイッチのオン信号に基づいて、後記する窓側ＣＰＵ２３はタッチセンサ３７を検出不能にする。
窓２の開閉時に窓戸２ａが窓枠１に接近した際に止まるようになっている。
【００２１】
前記ケーシング７３の一側には案内溝７９が形成され、この案内溝７９内には上下方向に沿って移動可能な可動部材７６が収容されている。案内溝７９の内奥面は傾斜面７４を有しており、可動部材７６が傾斜面７４に沿って上方へ移動することにより、同可動部材７６の一部が案内溝７９内から徐々に突出するようになっている。又、ケーシング７３には上下方向に延びる調整ネジ７５が回動可能に支持され、調整ネジ７５は可動部材７６に螺合貫通している。そして、調整ネジ７５が回動操作されることにより可動部材７６が上下方向へ移動するようになっている。従って、ケーシング７３の取り付けは、可動部材７６の位置を、縦枠４ａ内の収容空間の大きさにあわせて調整した上で、縦枠４ａ内の上端部に挿入するだけでよい。
【００２２】
可動部材７６の幅方向側面には、かえし刃７７が形成されている。そして、本実施形態の枠体４はアルミ系の材料で構成しているため、かえし刃７７が縦枠４ａの内壁面に食い込み固定は確実なものとなる。なお、枠体４が鉄系の材料で構成されている場合には、可動部材７６の枠体４と圧接される表面には摩擦係数の高い材料を使用するのが好ましい。
【００２３】
次に、窓側制御装置Ａの回路構成について説明する。
図５（ａ）に示すように、窓側制御装置Ａの窓側ＣＰＵ（中央処理装置）２３には、窓側制御装置Ａ全体の動作を制御するプログラム、窓２が複数ある場合にそれぞれの窓のＩＤコードや各種動作コードを記憶したＲＯＭ（リードオンリメモリ）２４と、各種データを一時的に記憶するＲＡＭ（ランダムアクセスメモリ）２５とが接続されている。そして、この窓側ＣＰＵ２３、ＲＯＭ２４及びＲＡＭ２５により、制御手段及び判定手段が構成されている。なお、前記ＩＤコードとは、窓２が複数ある場合において、各窓２を識別するために、各窓２毎に設定されたコードをいい、又動作コードとは窓２を開閉したり、施錠・開錠したりするといった動作を識別するためのコードをいう。
【００２４】
窓側ＣＰＵ２３の入力側には、前記各センサ８〜９、赤外線受光器１１、電波送受信器２２及び各スイッチ１３〜１５、タッチセンサ３７が接続されている。又、窓側ＣＰＵ２３の入力側には、開閉状態検出手段としての開閉状態検出センサ３５と、施錠状態検出としての施錠状態検出センサ３６とが接続されている。そして、各センサ８〜９，３５〜３７は、検出信号を窓側ＣＰＵ２３にそれぞれ出力する。各操作スイッチ１３〜１５は、各種操作信号を窓側ＣＰＵ２３に出力する。赤外線受光器１１は、リモコン９０の操作キーの操作により受信される赤外線信号を窓側ＣＰＵ２３へ出力する。又、電波送受信器２２は、制御端末機Ｂの電波送受信器４５から送信される処理信号を受信して窓側ＣＰＵ２３に出力する一方、窓側ＣＰＵ２３からの処理信号を電波送受信器４５に送信する。
【００２５】
窓側ＣＰＵ２３の出力側には、クレセント駆動モータ６３、開閉駆動モータ７１、ＬＥＤ１６及びブザー１７が接続されている。そして、窓側ＣＰＵ２３は各センサ８〜９，３５，３６からの検出信号、赤外線受光器１１又は電波送受信器２２からの操作信号、各スイッチ１３〜１５の操作信号に基づいて、クレセント駆動モータ６３及び開閉駆動モータ７１に駆動信号を出力する。又、窓側ＣＰＵ２３は各センサ８〜９からの検出信号に基づいて、ＬＥＤ１６及びブザー１７に報知信号を出力する。
【００２６】
窓側ＣＰＵ２３は、窓２を開閉し終えた際に、一方の窓戸２ａが移動しなくなると、図示しない電流センサにて開閉駆動モータ７１に過負荷がかかっていることを検知すると、この検知信号に基づいて開閉駆動モータ７１の駆動を停止する。又、窓側ＣＰＵ２３は、窓２を施錠・開錠し終えた際に、図示しない電流センサにてクレセント駆動モータ６３に過負荷がかかっていることを検知すると、この検知信号に基づいてクレセント駆動モータ６３の駆動を停止する。
【００２７】
続いて、制御端末機Ｂの回路構成について説明する。
図５（ｂ）に示すように、制御端末機Ｂの端末側ＣＰＵ４０には、端末機Ｂ全体の動作を制御するプログラムを記憶したＲＯＭ４１と、各種データを一時的に記憶するＲＡＭ４２とが接続されている。そして、この端末側ＣＰＵ４０、ＲＯＭ４１及びＲＡＭ４２により報知手段が構成されている。端末側ＣＰＵ４０には音声合成回路４３、オートダイヤラー４４及び電波送受信器４５が接続されている。そして、端末側ＣＰＵ４０は、音声合成回路４３から音声識別信号を読み出す。又、端末側ＣＰＵ４０はオートダイヤラー４４にダイヤル駆動信号を出力する。
【００２８】
次に、上記のように構成された窓戸制御システムの動作を説明する。
（携帯電話２７による遠隔操作）
窓２を開く場合には、携帯電話２７のテンキー等を操作して電話をかけ、携帯電話２７からの電波信号が制御端末機Ｂの電波送受信器４５にて受信されると、端末側ＣＰＵ４０は、窓２を操作するための電話があったことを確認し、その電波信号に基づくＩＤコードや動作コードを含む処理信号を窓側制御装置Ａに送信する。そして、窓側制御装置Ａの電波送受信器２２が制御端末機Ｂからの処理信号を受信すると、窓側ＣＰＵ２３はクレセント駆動モータ６３を駆動し、クレセント５を逆方向へ回動させ、窓２を開錠する。その後、窓側ＣＰＵ２３にて、開閉駆動モータ７１が駆動されるのに伴い、窓戸２ａが移動され、窓２が開かれる。
【００２９】
そして、窓２の開き動作が完了した後、開閉状態検出センサ３５にて窓２の開き状態が検出され、その検出信号が窓側ＣＰＵ２３に入力されると、窓側ＣＰＵ２３は電波送受信器２２により開き完了信号を電波送受信器４５に送信する。端末側ＣＰＵ４０が開き完了信号を検出すると、同端末側ＣＰＵ４０は音声合成回路４３から音声識別信号を読み出し、操作者の携帯電話２７に電話する。すると、開き完了信号に対応する音声識別信号が電話回線を介して操作者の携帯している携帯電話２７に送信され、窓２の開きが完了したという旨が音声で報知される。この報知を聞いた後、操作者は携帯電話２７を切る。
【００３０】
又、窓２を閉じる場合には、携帯電話２７のテンキー等を操作して電話をかける。このとき、窓２を開ける場合とは異なるテンキーを操作する。すると、窓２を開ける場合と同様の作用でもって窓２が閉じられ、音声にて携帯電話２７に窓２が閉じられたことを音声にて知らせる。窓２の閉じ動作が完了した後、端末側ＣＰＵ４０は、窓２を施錠するためにＩＤコードや動作コードを含む処理信号を窓側制御装置Ａに送信する。すると、窓側制御装置Ａの窓側ＣＰＵ２３はクレセント駆動モータ６３を駆動し、クレセント５を正方向へ回動させ、窓２を施錠する。
【００３１】
そして、施錠状態検出センサ３６により施錠が完了した後、施錠状態検出センサ３６にて窓２の施錠状態が検出され、その検出信号が窓側ＣＰＵ２３に入力されると、窓側ＣＰＵ２３は電波送受信器２２により施錠完了信号を電波送受信器４５に送信する。端末側ＣＰＵ４０が施錠完了信号を検出すると、同端末側ＣＰＵ４０は音声合成回路４３から音声合成回路４３から音声識別信号を読み出し、操作者の携帯電話２７に電話する。すると、施錠完了信号に対応する音声識別信号が電話回線を介して操作者の携帯している携帯電話２７に送信され、窓２の施錠が完了したという旨が音声で報知される。この報知を聞いた後、操作者は携帯電話２７を切る。
【００３２】
（リモコン９０による遠隔操作）
次に、リモコン９０による遠隔操作について説明する。
窓２を開く場合には、リモコン９０の操作ボタンが操作され、リモコン９０からの赤外線信号が赤外線受光器１１にて受光されると、窓側ＣＰＵ２３はその赤外線信号に含まれるＩＤコードや動作コードに基づき、クレセント駆動モータ６３を駆動させる。この駆動に伴い、クレセント５を逆方向へ回動させ、窓２を開錠する。その後、窓側ＣＰＵ２３にて、開閉駆動モータ７１が駆動されるのに伴い、窓戸２ａが移動され、窓２が開かれる。
【００３３】
又、窓２を閉じる場合には、リモコン９０の操作ボタンを操作する。このとき、開ける場合とは異なる操作ボタンを操作する。すると、リモコン９０で窓２を開ける場合と同様の作用でもって窓２が閉じられる。窓２の閉じ動作が完了した後、窓側制御装置Ａの窓側ＣＰＵ２３はクレセント駆動モータ６３を駆動し、クレセント５を正方向へ回動させ、窓２を施錠する。
【００３４】
（各センサ８〜１０における自動開閉操作）
窓側ＣＰＵ２３は、各センサ８〜１０の検知結果を常に監視している。そして、窓２が閉められている状態において、温度センサ８により室内の気温が所定値以上になった場合には、上述したように、窓側ＣＰＵ２３はクレセント駆動モータ６３及び開閉駆動モータ７１を駆動させて窓２を開く。又、窓２が閉められている状態において、ガスセンサ９により室内の一酸化炭素又は二酸化炭素の濃度が所定値以上になった場合には、同様に窓側ＣＰＵ２３は窓２を開く。更に、窓２が開かれている状態において、降雨センサ１０により雨を検知した場合には、窓側ＣＰＵ２３は窓２を閉じるようにし、降雨センサ１０により雨が止んだことを検知した場合には、窓側ＣＰＵ２３は再び窓２を開く。なお、各種センサ８〜１０が検知した際には、窓側ＣＰＵ２３がその検知した内容をＬＥＤ１６にて発光させて知らせるとともに、ブザー１７から警報音を出して知らせる。
【００３５】
加えて、両タッチセンサ３７のうち何れか一方のタッチセンサ３７に手等が接触した場合には、その接触圧により同タッチセンサ３７がオンし、その検出信号が窓側ＣＰＵ２３に入力される。すると、窓側ＣＰＵ２３は開閉駆動モータ７１を駆動している回転方向とは逆方向へ一定時間の間だけ逆転駆動し、一方の窓戸２ａを一定距離だけ後退させる。なお、窓２が閉められた際に、タッチセンサ３７の一端が窓枠１の内側面に接触するが、窓２が閉められる直前において、前記リードスイッチ（図示しない）がオンするため、タッチセンサ３７が検知不能となる。従って、タッチセンサ３７が窓枠１に接触しても障害物があると見なされず、誤作動するのが防止される。
【００３６】
（窓戸制御システムの異常時）
例えば、何者かが窓２を介して建物内に無断で進入した際に、操作命令がないにもかかわらず、窓戸２ａが移動した場合や、建物に火災等が発生し、温度センサ８にて室内温度が６０度〜７０度に上昇したと検知した場合には、窓側ＣＰＵ２３は、電波送受信器２２により異常検知信号を制御端末機Ｂに送信する。そして、制御端末機Ｂの電波送受信器４５により異常検知信号が受信されると、端末側ＣＰＵ４０はオートダイヤラー４４を駆動して携帯電話２７に電話する。すると、上述したように、異常検知信号に対応する音声識別信号が電話回線を介して操作者の携帯している携帯電話２７に送信され、異常があったことが音声で報知される。
【００３７】
次に、本実施形態から見い出せる効果を以下に記載する。
・一方の窓戸２ａを移動させて窓２を開閉する開閉駆動モータ７１と、窓２の施錠・開錠するクレセント駆動モータ６３とを、携帯電話２７又はリモコン９０により遠隔操作できるようにした。従って、遠隔地からでも窓２を開閉したり、施錠・開錠することができる。
【００３８】
・携帯電話２７や赤外線信号を出力するリモコン９０を用いて開閉駆動モータ７１やクレセント駆動モータ６３を駆動制御するようにしたため、携帯電話２７及びリモコン９０と窓側制御装置Ａとの間をワイヤレスにすることができる。従って、煩わしい多くの配線ケーブルをなくすことができ、外観上の見栄えを向上することができる。
【００３９】
・携帯電話２７のテンキー等を操作することにより、クレセント駆動モータ６３や開閉駆動モータ７１を駆動するようにしたため、建物外からでも窓２の開閉操作や開閉確認、又は施錠操作や施錠確認を容易に行うことができる。又、リモコン９０の操作ボタンを操作することにより、クレセント駆動モータ６３や開閉駆動モータ７１を駆動するようにしたため、高所に取り付けられた窓や建物内にいる一人暮らしや寝たきりの老人、病人等に有効である。
【００４０】
・窓側制御装置Ａに開閉状態検出センサ３５及び施錠状態検出センサ３６を設け、その検出結果に基づき窓側ＣＰＵ２３にて窓２が正常に開閉されたか否か、又は正常に施錠された否かを判定することができる。従って、システム全体の安全性を向上することができる。
【００４１】
・携帯電話２７を用いて窓２を開閉する際において、窓２の開閉が完了したか否かを端末側ＣＰＵ４０がオートダイヤラー４４で操作者に電話をかけて音声で正常に開閉動作又は施錠・開錠動作したか否かを報知するようにした。従って、窓２まで近寄ってわざわざ確認する手間を省くことができる。
【００４２】
・温度センサ８、ガスセンサ９又は降雨センサ１０により室内外の環境状態を検知するようにし、その検知結果に基づいて窓２を開閉することができる。そのため、操作者がわざわざ携帯電話２７やリモコン９０を余分に操作することなく、必要最小限の操作でもって環境状況に応じて窓２を開閉することができる。
【００４３】
・赤外線受光器１１及び電波送受信器２２に太陽電池１８により電力を供給するようにしたため、携帯電話２７又はリモコン９０からの信号を確実に受けることができる。従って、窓２の開閉操作又は施錠・開錠操作を遠隔操作により確実に行うことができる。
【００４４】
・窓側制御装置Ａを枠体４に収めることができるので、窓２の周辺に設置スペースを確保する必要がなく、既設の窓戸２ａに装着することも可能である。
・枠体４にタッチセンサ３７を設け、手等がタッチセンサ３７に接触した場合には一方の窓戸２ａが一定量後退するようにした。従って、窓戸２ａの進行方向又は後退方向に障害物があっても、その障害物が挟まれることがない。
【００４５】
この実施形態は以下のように変更することも可能である。
・  前記実施形態では、無線方式で窓２を開閉又は施錠・開錠したが、リモコン９０と窓側制御装置Ａ及び制御端末機Ｂとの間を有線で接続し、窓２を遠隔操作してもよい。
【００４６】
・  制御端末機Ｂを省略し、窓側制御装置Ａのみで構成することも可能である。
・  温度センサ８が作用する臨界温度を変更可能にする温度設定スイッチを設けてもよい。この構成にすれば、操作者の好みに応じて窓２の開閉タイミングを変更することができる。
【００４７】
・  窓２の施錠・開錠に関係した駆動手段分と、窓２の開閉に関係した構成とを、同じ窓枠１にはめる別々の窓戸２ａ，２ｂにそれぞれ分けて装着するようにしてもよい。これによれば、一方の窓戸２ａが移動するような構成を採用した場合にいて、他方の窓戸２ａは窓２の開閉に伴って移動される。
【００４８】
・  遠隔操作によって開閉される窓２が複数ある場合、すべての窓戸２ａに各センサ８〜１０を設ける必要はない。マスターとなる窓戸２ａにのみセンサ８〜１０を設けておき、マスターとなる窓２のＣＰＵ２３からの指示に基づいて、他の窓２を開閉してもよい。
【００４９】
・  用途によっては、各センサ８〜１０を省略したり、又は各操作スイッチ１３〜１５を省略してもよい。この場合には、窓戸２ａにリモコン９０を装着する装着部を設けておけば、リモコン９０によって操作スイッチを代用できるので、部品点数を少なくして製造コストを低減することができる。
【００５０】
・  前記実施形態では携帯電話２７を使用したが、有線からなる通常の電話にて窓２を開閉操作したり施錠・開錠操作することも可能である。
次に、前記実施形態から把握できる請求項以外の技術的思想について、それらの効果とともに記載する。
【００５１】
（ａ）前記窓戸を支持する枠体内に設けられ、開閉駆動機構（ドライブタイミングプーリ７０、開閉駆動モータ７１、押圧ローラ７２等）を設けたケーシング（７３）と、前記ケーシングに対する相対的な位置を変更可能な可動部材（７６）と、前記可動部材の一部をケーシングの側面から突出すべく同可動部材を案内する案内部（案内溝）とを備えた窓戸制御システム。この構成によれば、開閉駆動機構を窓２の枠体４に簡単に取り付けることができる。
【００５２】
【発明の効果】
この発明は、以上のように構成されているため、次のような効果を奏する。
請求項１及び請求項６に記載の発明によれば、遠隔操作手段の操作により開閉駆動手段又は施錠駆動手段を駆動させることができるので、遠隔地からでも窓を開閉したり、又は施錠・開錠したりすることができる。また、ケーシングの取り付けは、可動部材の位置を、縦枠内の収容空間の大きさにあわせて調整した上で、縦枠内の上端部に挿入するだけでよい。
【００５３】
請求項２に記載の発明によれば、煩わしい配線を使用することなく、開閉駆動手段又は施錠駆動手段を駆動することができるので、外観上の見栄えを向上することができる。
【００５４】
請求項３に記載の発明によれば、電話機の操作結果に基づき開閉駆動手段又は施錠駆動手段を駆動させることができるので、建物の外部からでも簡単に窓を開閉したり施錠することができる。又、赤外線信号を制御手段に出力するようにしたため、汎用性の高い方式で簡単に窓を開閉したり施錠することができる。
【００５５】
請求項４に記載の発明によれば、開閉状態検出手段及び施錠状態検出手段を設け、その検出結果に基づき制御手段にて窓が正常な状態にあるか否かを確認することができる。従って、システム全体の安全性を向上することができる。
【００５６】
請求項５に記載の発明によれば、窓の施錠状態又は開閉状態を報知するようにしたため、窓まで近寄ってわざわざ確認する手間を省くことができる。
【図面の簡単な説明】
【図１】一実施形態を示す窓戸制御システムの概要を示す概略斜視図。
【図２】一方の窓戸の外観を示す正面図。
【図３】（ａ）はクレセントの側面図、（ｂ）はクレセントの正面図。
【図４】開閉駆動モータ７１等の取り付け状態を示す分解斜視図。
【図５】（ａ）は窓側制御装置の電気的構成を示すブロック図、（ｂ）は制御端末機の電気的構成を示すブロック図。
【符号の説明】
２…窓、２ａ，２ｂ…窓戸、５…クレセント（施錠部材）、８…温度センサ（環境状態検知手段、温度検知手段）、９…ガスセンサ（環境状態検知手段、ガス検知手段）、１０…降雨センサ（環境状態検知手段、降雨検知手段）、１１…赤外線受光器（受信手段）、１８…太陽電池、２２…電波送受信器（受信手段）、２３…窓側ＣＰＵ２３（制御手段、判定手段）、３５…開閉状態検出センサ（開閉状態検出手段）、３６…施錠状態検出センサ（施錠状態検出手段）、４０…端末側ＣＰＵ４０（報知手段）、６３…クレセント駆動モータ（施錠駆動手段）、７１…開閉駆動モータ（開閉駆動手段）
【図１】
0003554470.tif 000002
【図２】
0003554470.tif 000003
【図３】
0003554470.tif 000004
【図４】
0003554470.tif 000005
【図５】
0003554470.tif 000006